(57)【特許請求の範囲】
【請求項１】
ベース板に、細長板状をなす一対の支持杆を所定間隔を以って対峙させた状態でリブ部材により補強して立設させ、
対峙させた前記支持杆の内面に掛け渡すように手すり用杆を設け、
前記ベース板を、掛け渡した前記手すり用杆を平面視で挟むようにして２箇所の外周縁部を内側に窪ませた略ひょうたん形状となるように形成し、
前記リブ部材を、掛け渡した前記手すり用杆に沿って、且つ、対峙させた前記支持杆の内面の下端部からベース板の上面にかけて張り出すように取り付け、前記支持杆の外面から貫通孔を介してねじ込んだねじにより該支持杆に固着するとともに、前記ベース板の底面から座グル穴を介してねじ込んだねじにより該ベース板に固着することよって前記支持杆のベース板への固定を補強することを特徴とする立上り補助具。
【請求項２】
対峙させた前記支持杆の内面に複数の手すり用杆を、上下方向に所定間隔を以って掛け渡して設けたことを特徴とする請求項１記載の立上り補助具。
【請求項３】
前記支持杆は、
該支持杆の下端部をなす下部支持杆と、
下部支持杆に対して固定具で所定高さ位置に固定する上部支持杆と
からなり、
対峙する上部支持杆の内面に少なくとも１本の手すり用杆を掛け渡して設けたことを特徴とする請求項１記載の立上り補助具。
【発明の詳細な説明】
【技術分野】
【０００１】
本発明は、お年寄りや身障者等が椅子やベッドや床等から立ち上がる時の介添え具となる立上り補助具に関するものである。
【背景技術】
【０００２】
一般に足腰の弱ったお年寄りや、身障者等が立ったり座ったりする場合に、一人では身体のバランスを崩して転ぶ危険性がある、そのため、お年寄り等が立ち上がる時に介添え者が身体を支えてやったり、手を握ってやったりして支えている。しかしながら、一般家庭では常にお年寄り等の傍についていて、その都度介添えをするといったことは、なかなかできることでないのが現状である。
【０００３】
そこで従来から人に代わって介添えするための種々の補助具が開発されている。たとえば、特許文献１に記載の人間支え補助装置は、人間が把持する手段と、杖の胴体と、杖の接地部分とからなる構成である２本の杖を所定間隔を以って上部で繋いだ全体逆Ｕ字形状のものである。
【０００４】
また、特許文献２に記載されているものは、両側に手すりを配して平面視コ字状に形成された、一部を折り畳み可能にした補助具であって、不要時には上記の一部を折り畳んでおくことができるものである。
【０００５】
【特許文献１】特開２００４−９７７７９号公報
【特許文献２】実用新案登録第３０５９３４２号公報
【発明の開示】
【発明が解決しようとする課題】
【０００６】
ところが、上記の特許文献１に記載のものは、上部で繋ながった2本の杖状のものであるため、立ち上がる時に把持部等を握って立ち上がれば、確かに立上り時の介添えにはなるが、全体が杖状であるが故に松葉杖のように不安定であり、初めての人が直ぐに安全に使いこなせるかといえば甚だ疑問であり、立ち上がる時に転倒してしまう心配がある。
【０００７】
また、上記の特許文献２に記載のものは、各部の棒を平面視コ字の枠上に組み合わせて形成したものであるので、手すりに力を入れて立ち上がる時に片側の手すりに力を入れ過ぎた場合、バランスを崩してこの補助具とともに転倒してしまうといった心配がある。また、折り畳みのヒンジ箇所で指を挟んで怪我をする懸念もある。
【０００８】
そこで本発明の目的とするところは、持ち運びができて何処にでも設置でき、また、お年寄りや身障者や怪我をして一時的に一人では椅子やベッド等から立ち上がるのが困難な人等が、人に頼ることなく、一人で容易にかつ安全に立ち上がれるように介添えすることができる立上り補助具を提供することにある。
【課題を解決するための手段】
【０００９】
請求項１記載の本発明は、ベース板に、細長板状をなす一対の支持杆を所定間隔を以って対峙させた状態でリブ部材により補強して立設させ、対峙させた前記支持杆の内面に掛け渡すように手すり用杆を設け、前記ベース板を、掛け渡した前記手すり用杆を平面視で挟むようにして２箇所の外周縁部を内側に窪ませた略ひょうたん形状となるように形成し、前記リブ部材を、掛け渡した前記手すり用杆に沿って、且つ、対峙させた前記支持杆の内面の下端部からベース板の上面にかけて張り出すように取り付け、前記支持杆の外面から貫通孔を介してねじ込んだねじにより該支持杆に固着するとともに、前記ベース板の底面から座グル穴を介してねじ込んだねじにより該ベース板に固着することよって前記支持杆のベース板への固定を補強することを特徴とする立上り補助具である。
【００１０】
請求項２記載の本発明は、対峙させた前記支持杆の内面に複数の手すり用杆を、上下方向に所定間隔を以って掛け渡して設けたことを特徴とする立上り補助具である。
【００１１】
請求項３記載の本発明は、前記支持杆は、該支持杆の下端部をなす下部支持杆と、下部支持杆に対して固定具で所定高さ位置に固定する上部支持杆とからなり、対峙する上部支持杆の内面に少なくとも１本の手すり用杆を掛け渡して設けたことを特徴とする立上り補助具。
【発明の効果】
【００１２】
本発明の立上り補助具によれば、ベース板の外周縁部を内側に窪ませることによって、ある程度の大きさを有するベース板を軽くでき、容易に持ち運びできて、トイレや玄関や居間等、所望の場所に簡単に設置することができる。また、既製の手すりを設置することができないような場所にも設置することができる。また、椅子に座っているお年寄りや身障者等の前に、手すり杆とお年寄り等とが対峙するようにして設置しておけば、ベース板の外周縁部の窪んだ箇所もお年寄り側に位置し、お年寄りや身障者等が立上がる時に、上記のベース板の外周縁部の窪んだ箇所に足の先を入れることができる。そのため手すり杆に身体をより近づけて立ち上がることができ、立ち上がる時の手すり杆を介しての押し下げ力が、垂直により近い方向から支持杆に伝えられて簡単に立ち上がることができる。
【００１３】
また、本発明の立上り補助具によれば、立ち上がった状態で手すり杆を握って下方に力を加えていれば、ベース板が設置面に面接触しているので安定して身体の支えとなる。また、椅子の横に本発明の立上り補助具を置いた場合も、ベース板の外周縁部の内側に窪んだ箇所に椅子の脚の下端の角を入れることができるため、身体を立上り補助具側により近づけることができ、上記したように手すり杆を握って安全に立ち上がることができる。
【００１４】
さらに、本発明の立上り補助具によれば、対峙させた支持杆に複数の手すり杆を、上下方向に所定間隔を以って掛け渡して設けたことにより、畳や床等に腰を下ろしている状態から立ち上がる場合には、握り易い下の手すり杆から順に握って立ち上がることにより、畳等に座った状態からでも一人で安全にかつ容易に立ち上がることができる。
【００１５】
また、本発明の立上り補助具によれば、手すり杆を備えた上部支持杆を、所望の高さに手すり杆の位置を調整して下部支持杆に固定具によって取り付けることができるため、手すり杆をお年寄り等の使用者の身体に合った使い易い高さにして使用することができ大変便利である。
【発明を実施するための最良の形態】
【００１６】
以下、本発明を実施するための最良の形態を図に基いて説明する。なお、本発明にかかる各例の図中符号は、便宜上、同一符号を使用する。
そこで、図１は本発明に係る第１例の立上り補助具に関する図であって、この立上り補助具１は、ベース板２と、一対の支持杆３と、１本の手すり杆４と、１対の補強用のリブ部材５と、複数組のナットとねじ（図示省略）とによって構成されている。また、上記のベース板２、各支持杆３、手すり杆４およびリブ部材５は、すべて木製である。
【００１７】
上記のベース板２(図１〜図３参照)は、略ひょうたん形状の平板である。すなわち、ベース板２は、例えば縦３８０ｍｍ、横５００ｍｍ、厚さ１８ｍｍ位で、中央部に外周縁部２ａを内側に窪ませて滑らかな曲線の外周縁部２ａの凹状である窪み部６を形成するとともに、両側に同じ大きさの楕円形部７を形成した形状の平板であり、各楕円形部７の底面側にザグル穴８，９を３箇所それぞれ形成してある。なお、ベース板２は小さい方が良いが、あまり小さいと手すり杆４を握った時に立上り補助具１が傾く心配があるので、手すり杆４を握った時に立上り補助具１が傾かないある程度の大きさにしておく必要がある。また、上記のようにベース板２は、略ひょうたん形状にすることによってデザイン的にも良くなる。
【００１８】
上記の各支持杆３（図１、図４参照）は、高さ８００ｍｍ、幅６０ｍｍ、厚さ２０ｍｍ位の細長な木製部材であって、上端部１０を丸く形成するとともに、上端部１０の近傍の内面側に直径３２ｍｍ、深さ１５ｍｍの中グリの穴１１を形成し、また、下端部１２の近傍の中央に貫通孔１３を開けるとともに、下端１４から貫通孔１３の近傍まで丸ナット１５を埋設する孔１６を２箇所に形成したものである。
【００１９】
上記の手すり杆４（図１、図６参照）は、径が３０φで、長さ４００ｍｍの木製丸棒である。また、上記のリブ部材５は、全体が半径８０ｍｍ位の１／４円形状で、厚さ２５ｍｍ位の木製部材である。
【００２０】
上記した各部品によって立上り補助具１を組み立てる場合は、先ずベース板２の一方の楕円形部７に形成した２つのザグル穴８と、一方の支持杆３の２つの孔１６とを一致させるとともに、支持杆３の中グリの穴１１側を内側にして上記支持杆３をベース板２の上に載置し、ベース板２の裏側から各ザグル穴８にねじ（図示せず）をねじ込んで、支持杆３の孔１６内の丸ナット１５にねじ付け、一方の支持杆３をベース板２に固定する。さらに、ベース板２の底面の座グル穴９からねじをねじ込んでリブ部材５にねじ付けるとともに、支持杆３の外側から貫通孔１３にねじをねじ込んで上記リブ部材５の側部にねじ付ける。このようにして支持杆３をリブ部材５を介してベース板２に強固に固定する。
【００２１】
次にベース板２に固定した支持杆３の中グリの穴１１内に手すり杆４の一端部４ａを挿入し、もう一方の支持杆３の中グリの穴１１内に手すり杆４の他端部４ｂを挿入する。そして上記のもう一方の支持杆３を先に説明した支持杆３のベース板２への取り付けと同様にして取り付ける。最後にねじで支持杆３と手すり杆４とを固定する。
【００２２】
このようにして組み立てられた立上り補助具１においては、手すり杆４に沿った箇所（手すり杆４の長手方向の両側の下方の箇所）にベース板２の窪み部６が位置している。
本発明に係る第１例の立上り補助具１は、上記のようにして組み立て形成されたものである。
【００２３】
この第１例の立上り補助具１によれば、ベース板２の面積もある程度広く安定しており、また、ベース板２の両側部に窪み部６を形成してあるので、ベース板２の重量も軽く、手すり杆４を持って所望の場所に運んで設置することができる。
【００２４】
また、図７に示すように傍に置いた立上り補助具１の手すり杆４を、立って握ることによって、身体がふらついたりすることもなく安心して一人で立つことができる。
【００２５】
図８に示すようにお年寄り等の椅子２１に座っているお年寄り等の傍に置いておくことにより、立ち上がる時に、一方の手で手すり杆４を握り、この手に力を入れれば強く踏ん張って立ち上がることができる。そのため確実にかつ安全に立上がることができる。
【００２６】
また、ベース板２には手すり杆４に沿って窪み部６が位置しているので、椅子２１の脚部２２の角部２３を上記窪み部６に位置させておくことができ、身体を手すり杆４に接近させることができ、立ち上がる時に身体と手すり杆４の間隔があまり離れることもなく、手すり杆４に力を入れ易くなり、安全に踏ん張って立ち上がることができる。
【００２７】
また、図９に示すように立ち上がった後も、足２４を窪み部６に入れて立つことができ、手すり杆４を握って安全に立っていることができる。
【００２８】
なお、上記ベース板２は両側の外周縁部２ａに窪み部６を形成してあるので、例えば二人のお年寄りが向き合って又は並んで椅子に座っているような場合に、二人の間に立上り補助具１を置いておけば、前後又は左右のどちらかのお年寄りが立上がる時にも共用できる。
【００２９】
図１０は本発明に係る第２例の立上り補助具１に関する図であり、この第２例の立上り補助具１では、手すり杆４を３本使用している。すなわち、各支持杆３の内面側には上記した上端部１０の穴１１から２５０ｍｍ間隔を以って２つの中ぐり穴１７（図５参照）が上記した穴１１と同様にして形成してある。そして上記した第１例の立上り補助具１を組み立てる場合と同様の方法でこの第２例の立上り補助具１も組み立てられる。この場合、対峙する支持杆３の間には、上下方向に所定間隔を以って手すり杆４が対向する中ぐり穴１７に取り付けられる。その他の構成は上記した第１例の立上り補助具１の構成と同様であり、同一箇所に同一符号を付して説明を省略する。
【００３０】
この第２例の立上り補助具１では、複数本の手すり杆４を備えているので、座った状態から立ち上がる場合に（図１１参照）、掴みやすい手すり杆４を握って立ち上がることができ、座った状態から立ち上がる時に便利である。
【００３１】
図１２は本発明に係る第３例の立上り補助具１に関する図であり、この第２例の立上り補助具１においては、上記した支持杆３が下部支持杆３ａと上部支持杆３ｂおよび固定具１８からなる。
【００３２】
すなわち、下部支持杆３ａ並びに上部支持杆３ｂは、それぞれ先の第１例および第２例の支持杆３の半分位乃至２／３位の長さであって、上記の下部支持杆３ａの上部には一定間隔を以って２つの貫通穴１９が形成されている。また上部支持杆３ｂにも上記の２つの貫通孔１９の間隔と同じ間隔を以って複数（図示の例では４つ）の貫通孔２０が形成してある。そして上部支持杆３ｂは、ベース板２に立設させた各下部支持杆３ａの対峙する内面側に配され、下部支持杆３ａの２つの貫通孔１９に対して上部支持杆３ｂの所望の貫通孔２０の位置を段階的に一致させて高さ位置を選択（調整）し、ねじやナット等の固定具１８によって連結固定されている。
【００３３】
対峙させて各下部支持杆３ａに取り付けられる上部支持杆３ｂの上部には、１本の手すり杆４を掛け渡して設けてある。
【００３４】
なお、ベース板２に立設するための下部支持杆３ａの下端部１２の構成、並びに上部支持杆３ｂの手すり杆４を取り付ける箇所の構成、およびベース板２の構成は、先の第１例および第２例の支持杆３、並びにベース板２の構成と同様であり説明を省略する。
【００３５】
上記した第３例の立上り補助具１では、手すり杆４の高さ位置を下部支持杆３ａに対する上部支持杆３ｂの取り付け位置を変えることによって、使用者の望む高さに、ある程度調整することができる。そのため、体格や身体能力等の異なるいろいろの使用者に対しても、適した状態の介添え具と成り得て非常に便利である。その他の作用・効果は先の第１例および第２例の立上り補助具１と同様の作用・効果を奏することができる。
【００３６】
なお、第３例の立上り補助具１においては、対峙する上部支持杆３ｂの間に上下方向に所定間隔を以って複数の手すり杆を設けてもよく、さらには、下部支持杆３ａのベース板２寄りに手すり杆４を掛け渡して設けてもよい。
【００３７】
また、本発明の立上り補助具１において、ベース板は片側の外周縁部に窪み部を形成したものであってもよい。また窪み部の形状は、図示の例のような滑らかな山形状の凹部であっても、或いは四角状の凹部であってもよい。勿論、ベース板の形状は図示の例に限定されるものではなく、長方形や正方形や多角形、その他の曲線外周縁部を有する形状であってもよい。また、本発明の立上り補助具１を構成する各部材の寸法は、上記した例の寸法に限定されるものではない。
【図面の簡単な説明】
【００３８】
【図１】本発明にかかる第１例の立上り補助具の斜視図である。
【図２】本発明にかかるベース板の表面図である。
【図３】本発明にかかるベース板の裏面図である。
【図４】本発明にかかる支持杆の内面図である。
【図５】本発明にかかる他の例の支持杆の内面図である。
【図６】本発明にかかる手すり杆の平面図である。
【図７】本発明にかかる第１例の立上り補助具の使用状態を示す説明図である。
【図８】本発明にかかる第１例の立上り補助具の他の使用状態を示す説明図である。
【図９】本発明にかかる第１例の立上り補助具の別の使用状態を示す説明図である。
【図１０】本発明にかかる第２例の立上り補助具の斜視図である。
【図１１】本発明にかかる第２例の立上り補助具の使用状態を示す説明図である。
【図１２】本発明にかかる第３例の立上り補助具の斜視図である。
【符号の説明】
【００３９】
１    立上り補助具
２    ベース板
２ａ  外周縁部
３    支持杆
３ａ  下部支持杆
３ｂ  上部支持杆
４    手すり杆
【図１】
0004796810.tif 000002
【図２】
0004796810.tif 000003
【図３】
0004796810.tif 000004
【図４】
0004796810.tif 000005
【図５】
0004796810.tif 000006
【図６】
0004796810.tif 000007
【図７】
0004796810.tif 000008
【図８】
0004796810.tif 000009
【図９】
0004796810.tif 000010
【図１０】
0004796810.tif 000011
【図１１】
0004796810.tif 000012
【図１２】
0004796810.tif 000013